(57)【要約】【課題】ユーザーに負担や作業時間をかけることなく、ユーザーの便宜に合わせた画像出力を管理する。【解決手段】  画像出力管理装置としての複合機１は、入力画像データを何れかのクラスに分類するための分類情報を設定する分類情報設定部５８と、クラス毎の拡張情報を設定する拡張情報設定部６０と、クラス毎の出力先情報を設定する出力先情報設定部６１と、分類情報、拡張情報及び出力先情報をクラス情報として記憶する記憶部５２と、入力画像データを分類情報に基づいて何れかのクラスに分類する画像分類部５６と、分類されたクラス情報に基づいて入力画像データを画像処理する画像処理部５７とを備える。画像処理部５７は、クラス情報の拡張情報に基づいて入力画像データを拡張処理して出力画像データを生成する拡張処理部６２と、クラス情報の出力先情報に基づいて出力画像データを出力処理する出力処理部６３とを備える。【選択図】図３
2017055352.tif 000002
【特許請求の範囲】
【請求項１】
入力画像データを１つ以上のクラスの何れかに分類するための分類情報を設定する分類情報設定部と、
前記入力画像データを拡張処理する際の前記クラス毎の拡張情報を設定する拡張情報設定部と、
前記入力画像データを出力処理する際の前記クラス毎の出力先情報を設定する出力先情報設定部と、
前記分類情報、前記拡張情報及び前記出力先情報を前記クラス毎に関連付けてクラス情報として記憶する記憶部と、
前記入力画像データを前記分類情報に基づいて１つ以上のクラスの何れかに分類する画像分類部と、
前記画像分類部によって分類された前記入力画像データのクラスに対応する前記クラス情報を前記記憶部から取得すると共に、取得した前記クラス情報に基づいて前記入力画像データを画像処理する画像処理部と、を備え、
前記画像処理部は、
前記クラス情報の前記拡張情報に基づいて、前記入力画像データを拡張処理して出力画像データを生成する拡張処理部と、
前記クラス情報の前記出力先情報に基づいて、前記入力画像データに基づく出力画像データを出力処理する出力処理部と、
を備えることを特徴とする画像出力管理装置。
【請求項２】
前記分類情報設定部は、２つ以上のトレーニング画像の入力を受け付けると共に、入力された前記２つ以上のトレーニング画像の類似特徴点を検出し、その検出結果に基づいて前記分類情報を生成することを特徴とする請求項１に記載の画像出力管理装置。
【請求項３】
前記出力先情報設定部は、前記クラス毎に１つ以上の出力先情報を前記クラス情報として設定可能とし、
前記出力処理部は、所定のクラスの前記クラス情報に２つ以上の出力先情報が設定されている場合、同一の前記出力画像データを前記２つ以上の出力先情報に基づいて出力処理することを特徴とする請求項１又は請求項２に記載の画像出力管理装置。
【請求項４】
前記出力画像データに基づいて記録媒体に画像形成を行う画像形成部と、
前記画像形成部によって画像形成された前記記録媒体について、前記出力処理部による出力先となる複数の出力トレイと、を更に備え、
前記出力先情報設定部は、前記複数の出力トレイから前記出力先情報を設定するように構成されることを特徴とする請求項１ないし請求項３の何れか１項に記載の画像出力管理装置。
【請求項５】
前記複数の出力トレイは、トレイ上の記録媒体の有無を検知する記録媒体センサーを備え、
前記出力処理部が、前記出力先情報としての前記出力トレイに対して、前記入力画像データに基づく出力画像データを出力処理した後、前記記録媒体センサーの検知結果に基づいて、前記出力先情報としての前記出力トレイから記録媒体が取り除かれるまで、当該出力トレイの使用を禁止することを特徴とする請求項４に記載の画像出力管理装置。
【請求項６】
複数の宛先に接続される通信部を更に備え、
前記出力先情報設定部は、前記通信部によるデータ送信が可能な前記複数の宛先から前記出力先情報を設定するように構成されることを特徴とする請求項１ないし請求項５の何れか１項に記載の画像出力管理装置。
【請求項７】
操作キーを有していて、前記操作キーによる設定入力を受け付ける操作部を更に備え、
前記拡張情報設定部は、前記操作部からの前記設定入力に応じて前記拡張情報を設定するように構成され、
前記出力先情報設定部は、前記操作部からの前記設定入力に応じて前記出力先情報を設定するように構成されることを特徴とする請求項１ないし請求項６の何れか１項に記載の画像出力管理装置。
【請求項８】
外部端末に接続されていて、前記外部端末からの設定入力を受け付ける受信部を更に備え、
前記拡張情報設定部は、前記受信部で受信した前記設定入力に応じて前記拡張情報を設定するように構成され、
前記出力先情報設定部は、前記受信部で受信した前記設定入力に応じて前記出力先情報を設定するように構成されることを特徴とする請求項１ないし請求項７の何れか１項に記載の画像出力管理装置。
【発明の詳細な説明】
【技術分野】
【０００１】
本発明は、入力画像データを分類すると共に出力する画像出力管理装置に関する。
【背景技術】
【０００２】
従来、画像形成装置等の画像出力管理装置は、スキャナーで読み取った画像データやユーザー端末から入力された画像データに所定の画像処理を施し、更に、画像データについて、外部機器への送信や、用紙への画像形成及び用紙の出力トレイへの排出を管理するように構成されている。
【０００３】
例えば、特許文献１の印刷システムは、メディアデータを受信するインタフェースと、メディアデータを任意のコンテンツ認識アルゴリズムに従ってセグメント化するコンテンツ認識モジュールと、セグメント化されたメディアデータに基づいて印刷出力を生成する出力システムとを有する。コンテンツ認識アルゴリズムには、フレーム分類を行うものがあり、例えば、ビデオフレーム分類として、ユーザーがビデオを印刷すると、プリンターが各フレームを「一人」、「二人」、「自動車」、「大聖堂」、「木」等の複数の公知のカテゴリに分類する。これらのカテゴリは、ビデオの紙出力上に各フレームの隣に印刷される。
【先行技術文献】
【特許文献】
【０００４】
【特許文献１】特開２００５−１０８２３０号公報
【発明の概要】
【発明が解決しようとする課題】
【０００５】
しかしながら、上記の印刷システムにおける画像形成装置は、複数のカテゴリが混在する複数のフレームについて画像印刷等の画像出力を行うと、出力トレイ上に複数のカテゴリの用紙が混在する。そのため、画像印刷後の用紙を分類するための負担や作業時間がユーザーに掛かることになる。そこで、複数のカテゴリが混在する複数のフレームについて、整理された状態で画像出力することが求められている。
【０００６】
本発明は上記した課題を解決すべくなされたものであり、ユーザーに負担や作業時間をかけることなく、ユーザーの便宜に合わせた画像出力を管理することを目的とするものである。
【課題を解決するための手段】
【０００７】
上記した目的を達成するため、本発明の画像出力管理装置は、入力画像データを１つ以上のクラスの何れかに分類するための分類情報を設定する分類情報設定部と、前記入力画像データを拡張処理する際の前記クラス毎の拡張情報を設定する拡張情報設定部と、前記入力画像データを出力処理する際の前記クラス毎の出力先情報を設定する出力先情報設定部と、前記分類情報、前記拡張情報及び前記出力先情報を前記クラス毎に関連付けてクラス情報として記憶する記憶部と、前記入力画像データを前記分類情報に基づいて１つ以上のクラスの何れかに分類する画像分類部と、前記画像分類部によって分類された前記入力画像データのクラスに対応する前記クラス情報を前記記憶部から取得すると共に、取得した前記クラス情報に基づいて前記入力画像データを画像処理する画像処理部と、を備え、前記画像処理部は、前記クラス情報の前記拡張情報に基づいて、前記入力画像データを拡張処理して出力画像データを生成する拡張処理部と、前記クラス情報の前記出力先情報に基づいて、前記入力画像データに基づく出力画像データを出力処理する出力処理部と、を備えることを特徴とする。
【０００８】
このような構成によれば、１つ以上のクラスの入力画像データや原稿が混じっている場合でも、入力画像データや原稿をユーザーが視認したり予め分類したりする必要がなく、出力画像データは自動的にクラス毎に分類され、また、自動的にクラス毎に異なる拡張処理が適用され、更に、自動的にクラス毎に異なる出力先へと出力することができる。従って、ユーザーの負担を軽減すると共に、入力画像データや原稿の分類に費やす作業時間を減少することができる。このように、画像出力を自動的によりよく整理することが可能となり、ユーザーに負担や作業時間をかけることなく、ユーザーの便宜に合わせた画像出力を管理することができる。
【０００９】
前記分類情報設定部は、２つ以上のトレーニング画像の入力を受け付けると共に、入力された前記２つ以上のトレーニング画像の類似特徴点を検出し、その検出結果に基づいて前記分類情報を生成するとよい。
【００１０】
このような構成によれば、クラス毎に異なる所望のトレーニング画像に基づいて入力画像データを自動的に分類することができるため、入力画像データの分類精度を向上することが可能となる。
【００１１】
前記出力先情報設定部は、前記クラス毎に１つ以上の出力先情報を前記クラス情報として設定可能とし、前記出力処理部は、所定のクラスの前記クラス情報に２つ以上の出力先情報が設定されている場合、同一の前記出力画像データを前記２つ以上の出力先情報に基づいて出力処理するとよい。
【００１２】
このような構成によれば、出力画像データを自動的に２つ以上の出力先に出力することができるため、複数送信や複数コピーに伴うユーザーの負担や作業時間を軽減することができる。
【００１３】
上記の画像出力管理装置は、前記出力画像データに基づいて記録媒体に画像形成を行う画像形成部と、前記画像形成部によって画像形成された前記記録媒体について、前記出力処理部による出力先となる複数の出力トレイと、を更に備え、前記出力先情報設定部は、前記複数の出力トレイから前記出力先情報を設定するように構成されるとよい。
【００１４】
このような構成によれば、複数の出力トレイが存在する場合でも、自動的にクラス毎に所望の出力トレイに排紙することができる。従って、各出力トレイでは、異なるクラスの用紙が混じることがないので、手作業による用紙の分類をする必要がなく、ユーザーの負担を軽減することができる。
【００１５】
前記複数の出力トレイは、トレイ上の記録媒体の有無を検知する記録媒体センサーを備え、前記出力処理部が、前記出力先情報としての前記出力トレイに対して、前記入力画像データに基づく出力画像データを出力処理した後、前記記録媒体センサーの検知結果に基づいて、前記出力先情報としての前記出力トレイから記録媒体が取り除かれるまで、当該出力トレイの使用を禁止してもよい。
【００１６】
このような構成によれば、自動的にクラスを分類して用紙を出力トレイへと排紙した場合でも、ユーザーが作業を終えて用紙をトレイから取り除くまでは、分類された用紙が他の用紙と混じることがない。
【００１７】
上記の画像出力管理装置は、複数の宛先に接続される通信部を更に備え、前記出力先情報設定部は、前記通信部によるデータ送信が可能な前記複数の宛先から前記出力先情報を設定するように構成されるとよい。
【００１８】
このような構成によれば、複数の管理者端末、複数のユーザー端末、複数の第三者端末及び複数のファクシミリ等のように複数の宛先が存在する場合でも、自動的にクラス毎に所望の宛先に送信することができる。従って、宛先が予め定まっている特定のクラスの画像や原稿の送信処理において、改めて宛先設定する等のユーザーの負担を軽減することができる。
【００１９】
上記の画像出力管理装置は、操作キーを有していて、前記操作キーによる設定入力を受け付ける操作部を更に備え、前記拡張情報設定部は、前記操作部からの前記設定入力に応じて前記拡張情報を設定するように構成され、前記出力先情報設定部は、前記操作部からの前記設定入力に応じて前記出力先情報を設定するように構成されるとよい。
【００２０】
このような構成によれば、ユーザーは、操作表示ユニットを用いた簡易な手法でクラス毎の拡張情報や出力先情報を設定することができる。
【００２１】
上記の画像出力管理装置は、外部端末に接続されていて、前記外部端末からの設定入力を受け付ける受信部を更に備え、前記拡張情報設定部は、前記受信部で受信した前記設定入力に応じて前記拡張情報を設定するように構成され、前記出力先情報設定部は、前記受信部で受信した前記設定入力に応じて前記出力先情報を設定するように構成されるとよい。
【００２２】
このような構成によれば、管理者やユーザーは、管理者端末やユーザー端末を用いた遠隔操作によって、クラス毎の拡張情報や出力先情報を設定することができる。
【発明の効果】
【００２３】
本発明によれば、ユーザーに負担や作業時間をかけることなく、ユーザーの便宜に合わせた画像出力を管理することが可能となる。
【図面の簡単な説明】
【００２４】
【図１】本発明の一実施形態に係る複合機及びその周辺装置の概略を示す斜視図である。
【図２】本発明の一実施形態に係る複合機を示す断面図である。
【図３】本発明の一実施形態に係る複合機及びその周辺装置の電気的な構成を示すブロック図である。
【図４】本発明の一実施形態に係る複合機における画像出力管理の設定動作を示すフローチャートである。
【図５】本発明の一実施形態に係る複合機の操作表示ユニットに表示される共通設定画面を示す平面図である。
【図６】本発明の一実施形態に係る複合機の操作表示ユニットに表示される分類拡張切換画面を示す平面図である。
【図７】本発明の一実施形態に係る複合機の操作表示ユニットに表示される画像出力管理画面の初期段階を示す平面図である。
【図８】本発明の一実施形態に係る複合機の操作表示ユニットに表示されるクラス情報設定画面の初期段階を示す平面図である。
【図９】本発明の一実施形態に係る複合機の操作表示ユニットに表示されるクイックセットアップウィザード画面を示す平面図である。
【図１０】本発明の一実施形態に係る複合機の操作表示ユニットに表示されるクラス情報設定画面のクラス名設定段階を示す平面図である。
【図１１】本発明の一実施形態に係る複合機の操作表示ユニットに表示されるクラス名設定画面を示す平面図である。
【図１２】本発明の一実施形態に係る複合機の操作表示ユニットに表示されるクラス情報設定画面のトレーニング画像入力段階を示す平面図である。
【図１３】本発明の一実施形態に係る複合機の操作表示ユニットに表示されるトレーニング画像入力画面の初期段階を示す平面図である。
【図１４】本発明の一実施形態に係る複合機の操作表示ユニットに表示されるトレーニング画像読込画面のユーザーボックス画面を示す平面図である。
【図１５】本発明の一実施形態に係る複合機の操作表示ユニットに表示されるトレーニング画像読込画面の画像テーブル画面を示す平面図である。
【図１６】本発明の一実施形態に係る複合機の操作表示ユニットに表示されるトレーニング画像読込画面の外部メモリー画面を示す平面図である。
【図１７】本発明の一実施形態に係る複合機の操作表示ユニットに表示されるトレーニング画像入力画面の画像読み込み後の段階を示す平面図である。
【図１８】本発明の一実施形態に係る複合機の操作表示ユニットに表示されるトレーニング画像スキャン画面を示す平面図である。
【図１９】本発明の一実施形態に係る複合機の操作表示ユニットに表示されるトレーニング画像入力画面の画像スキャン後の段階を示す平面図である。
【図２０】本発明の一実施形態に係る複合機の操作表示ユニットに表示されるクラス情報設定画面のトレーニング画像解析段階を示す平面図である。
【図２１】本発明の一実施形態に係る複合機の操作表示ユニットに表示されるトレーニング画像解析画面を示す平面図である。
【図２２】本発明の一実施形態に係る複合機の操作表示ユニットに表示されるクラス情報設定画面の拡張情報設定段階を示す平面図である。
【図２３】本発明の一実施形態に係る複合機の操作表示ユニットに表示される拡張情報設定画面を示す平面図である。
【図２４】本発明の一実施形態に係る複合機の操作表示ユニットに表示されるクラス情報設定画面の宛先設定段階を示す平面図である。
【図２５】本発明の一実施形態に係る複合機の操作表示ユニットに表示される宛先設定画面を示す平面図である。
【図２６】本発明の一実施形態に係る複合機の操作表示ユニットに表示されるクラス情報設定画面の出力トレイ設定段階を示す平面図である。
【図２７】本発明の一実施形態に係る複合機の操作表示ユニットに表示される出力トレイ設定画面を示す平面図である。
【図２８】本発明の一実施形態に係る複合機の操作表示ユニットに表示される画像出力管理画面のクラス情報の追加・編集後の段階を示す平面図である。
【図２９】本発明の一実施形態に係る複合機の操作表示ユニットに表示される送信処理画面を示す平面図である。
【図３０】本発明の一実施形態に係る複合機の操作表示ユニットに表示されるスキャン・送信状態画面を示す平面図である。
【図３１】本発明の一実施形態に係る複合機の操作表示ユニットに表示されるコピー処理画面を示す平面図である。
【図３２】本発明の一実施形態に係る複合機の操作表示ユニットに表示されるコピー・印刷状態画面を示す平面図である。
【図３３】本発明の一実施形態に係る複合機の操作表示ユニットに表示されるログ履歴画面を示す平面図である。
【発明を実施するための形態】
【００２５】
以下、図面を参照しつつ、本発明の実施形態について説明する。以下の各実施形態では、本発明に係る画像出力管理装置を画像形成装置の複合機１に適用する場合について説明する。図１において、矢印Ｆｒは複合機１の正面側（前側）を示し、図２において、紙面手前側が複合機１の正面側である。
【００２６】
図１に示されるように、複合機１は、略箱型形状の装置本体２と、着脱可能なオプションの中継ユニット３と、着脱可能なオプションの後処理ユニット４とを備える。中継ユニット３は、装置本体２の上部の排紙空間に配置され、後処理ユニット４は、装置本体２の左側に配置される。
【００２７】
装置本体２の下部には用紙（記録媒体、図示せず）を収納した給紙カセット５が設けられ、装置本体２の上部の排紙空間には第１排紙トレイ６が設けられる。給紙カセット５及び第１排紙トレイ６は、装置本体２内の後述する画像形成部１７（図２参照）で画像が形成される用紙を搬送するために用いられる。
【００２８】
装置本体２の上部における第１排紙トレイ６の上方には、原稿に表示されたものを画像データとして読み取る画像読取装置７が設けられる。画像読取装置７は、上面にプラテンガラス８（図２参照）を備え、プラテンガラス８上に載せられた原稿の画像をスキャナー（図示せず）によって読み取ると共に画像データを生成するように構成される。
【００２９】
また、画像読取装置７の上方には、画像読取装置７へと原稿を供給する自動原稿搬送装置（Ａｕｔｏ  Ｄｏｃｕｍｅｎｔ  Ｆｅｅｄｅｒ：ＡＤＦ）等の原稿搬送部１０が設けられる。この原稿搬送部１０の上面には原稿トレイ１１が設けられ、原稿トレイ１１の下方には原稿排出トレイ１２が設けられる。原稿供給部１０は、画像読取の際に、原稿トレイ１１に載置された原稿を供給機構（図示せず）によりプラテンガラス８上に供給し、画像読取後に、プラテンガラス８上の原稿を供給機構（図示せず）により原稿排出トレイ１２へと排出する。即ち、原稿トレイ１１及び原稿排出トレイ１２は、画像読取装置７で画像が読み取られる原稿を搬送するために用いられる。また、原稿供給部１０は、プラテンガラス８を覆うカバー部材として開閉可能に取り付けられる。
【００３０】
更に、装置本体２の上部では、操作表示ユニット１３（操作部）が正面側に取り付けられる。操作表示ユニット１３は、例えば、テンキーやスタートキー、システムメニューキー、送信キー、コピーキー、確認キー等の操作キーと、タッチパネル等の表示画面とを備えて、印刷枚数や印刷濃度等の設定についてユーザーからの設定入力を受け付ける。
【００３１】
装置本体２の中央部には、図２に示されるように、中間転写ベルト１５が複数のローラー間に架設され、中間転写ベルト１５の下方には、レーザー・スキャニング・ユニット（ＬＳＵ）で構成される露光装置１６が配置される。中間転写ベルト１５の近傍には、中間転写ベルト１５の下部に沿って４個の画像形成部１７がトナーの色（例えば、マゼンタ、シアン、イエロー、ブラックの４色）ごとに設けられる。
【００３２】
各画像形成部１７には、感光体ドラム１８が回転可能に設けられており、感光体ドラム１８の周囲には、帯電器２０と、現像器２１と、一次転写部２２と、クリーニング装置２３と、除電器２４とが、一次転写のプロセス順に配置される。現像器２１の上方には、各画像形成部１７と対応する４個のトナー容器としてのトナーコンテナ２５が、トナーの色ごとに設けられる。
【００３３】
装置本体２の右部には、用紙の搬送経路２６が設けられる。搬送経路２６の上流端には給紙部２７が設けられ、搬送経路２６の中流部には中間転写ベルト１５の右端に二次転写部２８が設けられ、搬送経路２６の下流部には定着装置３０が設けられ、搬送経路２６の下流端には排紙口３１が設けられる。なお、排紙口３１は、装置本体２の排紙空間に向けて開口されていて、第１排紙トレイ６の上方に形成される。
【００３４】
次に、このような構成を備えた複合機１の画像形成動作について説明する。複合機１に電源が投入されると、各種パラメーターが初期化され、定着装置３０の温度設定等の初期設定が実行される。そして、画像読取装置７や後述する外部の管理者端末４３、ユーザー端末４４等から画像データが入力され、印刷開始の指示がなされると、以下のようにして画像形成動作が実行される。
【００３５】
まず、各画像形成部１７において、帯電器２０によって感光体ドラム１８の表面が帯電された後、露光装置１６からのレーザー光（矢印Ｐ参照）により感光体ドラム１８の表面に静電潜像が形成される。次に、この静電潜像を、トナーコンテナ２５から供給されるトナーによって現像器２１がトナーにより対応する色のトナー像に現像する。このトナー像は、一次転写部２２において中間転写ベルト１５の表面に一次転写される。以上の動作を各画像形成部１７が順次繰り返すことによって、中間転写ベルト１５上にフルカラーのトナー像が形成される。なお、感光体ドラム１８上に残留したトナー及び電荷は、クリーニング装置２３及び除電器２４によって除去される。
【００３６】
一方、給紙部２７によって給紙カセット５又は手指しトレイ（図示せず）から取り出された用紙は、上記した画像形成動作とタイミングを合わせて二次転写部２８へと搬送され、二次転写部２８において、中間転写ベルト１５上のフルカラーのトナー像が用紙に二次転写される。トナー像を二次転写された用紙は、搬送経路２６を下流側へと搬送されて定着装置３０に進入し、この定着装置３０において用紙にトナー像が定着される。トナー像が定着された用紙は、排紙口３１から第１排紙トレイ６又は中継ユニット３へと排出される。
【００３７】
次に、中継ユニット３について図２を参照して説明する。
【００３８】
中継ユニット３は、装置本体２の上部の排紙空間において第１排紙トレイ６上に取り付けられる。また、中継ユニット３は、中継給紙口３３と、複数の中継供給ローラー３４と、中継排紙口３５とを備え、中継給紙口３３及び中継排紙口３５は、中継ユニット３の右側及び左側でそれぞれ開口している。
【００３９】
中継給紙口３３は、中継ユニット３が装置本体２に取り付けられる際に装置本体２の排紙口３１に対応する位置に設けられる。複数の中継供給ローラー３４は、中継給紙口３３から中継排紙口３５へと用紙の中継経路３６を構成する。中継排紙口３５は、中継ユニット３が装置本体２に取り付けられる際に装置本体２の左側面に位置する。
【００４０】
次に、後処理ユニット４について図１を参照しながら説明する。後処理ユニット４は、装置本体２の左側に取り付けられる。
【００４１】
後処理ユニット４は、装置本体２の排紙口３１から排出された後に中継ユニット３を介して中継排紙口３５から排出された用紙を内部に搬入し、この用紙に後処理を行って出力する。後処理ユニット４は、搬入部（図示せず）を右側面に備えると共に、第２排紙トレイ３８及びメールボックス４０を左側面に備える。上記の搬入部は、中継ユニット３の中継排紙口３５に対応した位置に設けられ、中継排紙口３５から排出された用紙を後処理ユニット４の内部へと搬入する。
【００４２】
第２排紙トレイ３８には、後処理ユニット４により後処理された用紙が排出される。メールボックス４０は、第２排紙トレイ３８の上方に設けられ、複数の第３排紙トレイ４１を有し、複数の第３排紙トレイ４１には、後処理ユニット４により後処理された用紙が排出される。
【００４３】
また、後処理ユニット４は、例えば、後処理を行う装置として、複数枚の用紙をスタックしてステープルで綴じるステープル処理を行うステープル装置と、用紙に対して所定の穿孔処理を行うパンチ装置と、用紙に折り処理を行うシート折り装置と、を備える。
【００４４】
次に、上記した複合機１の電気的な構成について図３を参照しながら説明する。複合機１は、装置本体２の内部に制御装置５０を備え、制御装置５０は、ＣＰＵ等からなる制御部５１と、ＲＯＭやＲＡＭ等からなる記憶部５２とを備える。
【００４５】
制御装置５０は、上記した中継ユニット３、後処理ユニット４、画像読取装置７及び操作表示ユニット１３等に接続される。また、制御装置５０は、上記した露光装置１６、画像形成部１７、給紙部２７、二次転写部２８及び定着装置２９等の装置本体２内の各部に接続される。更に、制御装置５０は、通信部５３、外部メモリー接続部５４、クラス情報設定部５５、画像分類部５６及び画像処理部５７等に接続されている。クラス情報設定部５５は、分類情報設定部５８、拡張情報設定部６０及び出力先情報設定部６１を含み、画像処理部５７は、拡張処理部６２及び出力処理部６３を含む。
【００４６】
また、上記の装置本体２の第１排紙トレイ６や後処理ユニット４の第２排紙トレイ３８及び複数の第３排紙トレイ４１等の複数の出力トレイには、それぞれ第１用紙センサー６４、第２用紙センサー６５及び第３用紙センサー６６（記録媒体センサー）が備えられる。第１用紙センサー６４、第２用紙センサー６５及び第３用紙センサー６６は、制御装置５０に接続されていて、それぞれ第１排紙トレイ６、第２排紙トレイ３８及び第３排紙トレイ４１上の用紙の有無を検知してその検知結果を制御装置５０へと送信する。
【００４７】
複合機１において、記憶部５２には、画像形成処理制御に必要なプログラムや、その他、複合機１を統括制御するためのプログラムが記憶されていて、制御部５１は、記憶部５２に記憶された各プロクラム等に従って演算処理を実行して、制御装置５０に接続された各部を制御する。記憶部５２は、例えば、複合機１からの画像出力を管理する画像出力管理アプリケーション６７（画像出力管理プログラム）を記憶する。
【００４８】
画像出力管理アプリケーション６７は、複合機１が入力画像データの画像印刷や画像送信等の画像出力を行う際に、入力画像データを１つ以上のクラス（カテゴリー）の何れかに分類し、クラス毎に異なる拡張処理や出力処理を入力画像データに行うことで、画像出力を最適化するように管理する。画像出力管理アプリケーション６７は、１つ以上のクラスのそれぞれに関連付けられた１つ以上のクラス情報を利用して実行され、記憶部５２は、これらのクラス情報も記憶する。１つ以上のクラスには、例えば、免許証や社員証等の「身分証」、「パスポート」、空白の入力欄等を有する未完の「フォーム」、完成された原稿等の「ドキュメント」及び「その他」等がある。入力画像データには、例えば、画像読取装置７で原稿から読み取った画像データ、後述する管理者端末４３やユーザー端末４４からの印刷ジョブや送信ジョブによって通信部５３を介して複合機１に入力された画像データ、外部メモリー６８から外部メモリー接続部５４が読み取った画像データ、又はその他の画像データがある。
【００４９】
なお、クラス情報設定部５５、画像分類部５６及び画像処理部５７は、画像出力管理アプリケーション６７の一部の機能を有する。図３では、クラス情報設定部５５、画像分類部５６及び画像処理部５７は、画像出力管理アプリケーション６７とは別に図示されているが、画像出力管理アプリケーション６７に含まれるプログラムで構成されてよい。
【００５０】
通信部５３は、複合機１と外部機器とを通信可能に接続するためのインタフェースである。通信部５３は、例えば、所定のネットワーク（図示せず）を介して管理者端末４３、ユーザー端末４４及び第三者端末４５と通信可能に接続され、また、電話回線を介して外部のファクシミリ４６と通信可能に接続される。管理者端末４３、ユーザー端末４４、第三者端末４５及びファクシミリ４６は、図２では１つずつ図示されているが、それぞれが複数設けられてよい。
【００５１】
管理者端末４３、ユーザー端末４４及び第三者端末４５は、パーソナルコンピュータ等の外部端末である。管理者端末４３及びユーザー端末４４は、ＬＡＮ等のネットワーク（図示せず）を介して通信部５３に接続されることで、複合機１を遠隔操作可能となり、例えば、複合機１に対する印刷ジョブや送信ジョブの入力や、複合機１からの画像データの受信が可能となる。管理者端末４３は複合機１の管理者権限を有する管理者の端末であって、ユーザー端末４４は複合機１を通常利用する通常のユーザーの端末である。第三者端末４５は、インターネット等のネットワーク（図示せず）を介して通信部５３に接続され、複合機１を遠隔操作することはできないが、複合機１からの画像データの受信が可能となる。
【００５２】
外部メモリー接続部５４は、ＵＳＢメモリー等の外部メモリー６８と接続可能に構成され、制御部５１からの指示に応じて外部メモリー６８に記憶された画像データを読み取って制御部５１へと送信する。
【００５３】
クラス情報設定部５５は、各クラスに関連付けられた各クラス情報を複合機１に対して設定する。クラス情報は、例えば、クラス毎に異なるクラス名（カテゴリ名）やクラスＩＤによって識別され、入力画像データを１つ以上のクラスに分類するための分類情報、入力画像データを拡張処理するための拡張情報、入力画像データに基づく出力画像データを出力処理するための出力先情報等を含む。
【００５４】
クラス情報設定部５５は、操作表示ユニット１３による設定入力を、画像出力管理アプリケーション６７によって操作表示ユニット１３に表示される画像出力管理画面８０等のＧＵＩにおいて受け付けるように構成され、この設定入力に応じてクラス情報を設定する。例えば、クラス情報設定部５５は、クラス名設定画面１００（図１１等参照）を操作表示ユニット１３に表示して、クラス名設定画面１００を介してクラス名の設定を受け付け、クラス名設定画面１００で設定されたクラス名をクラス情報に関連付けて記憶部５２に記憶する。
【００５５】
また、クラス情報設定部５５は、画像出力管理アプリケーション６７によって提供されるクラス情報設定ＡＰＩを利用した設定入力を、管理者端末４３から通信部５３を介して受け付けるように構成され、この設定入力に応じてクラス情報を設定してもよい。クラス情報設定部５５としての画像出力管理アプリケーション６７は、拡張情報設定や出力先情報設定を、管理者や管理者端末４３に限定して許可してもよく、あるいは、ユーザーやユーザー端末４４にも許可してもよい。
【００５６】
分類情報設定部５８は、入力画像データを１つ以上のクラスの何れかに分類するためのクラス毎の分類情報を複合機１に対して設定する。分類情報設定部５８は、例えば、分類情報として、トレーニング画像、キーワード、人物画像、レイアウト等の画像分類や画像識別をするための参照データを設定可能に構成される。なお、参照データは、特徴点や色情報のみからなるデータでもよい。
【００５７】
例えば、分類情報設定部５８は、分類情報設定画面を操作表示ユニット１３に表示して、分類情報設定画面を介して分類情報（上記の参照データ）の入力を受け付け、分類情報設定画面で入力された分類情報をクラス情報に関連付けて記憶部５２に記憶する。分類情報設定部５８は、例えば、上記の分類情報設定画面として、トレーニング画像の入力を受け付けるトレーニング画像入力画面１０７（図１３等参照）を操作表示ユニット１３に表示する。
【００５８】
トレーニング画像入力画面１０７は、外部の管理者端末４３又はユーザー端末４４から通信部５３を介して受信した画像、外部メモリー接続部５４が外部メモリー６８から読み取った画像、画像読取装置７が原稿から読み取った画像を、トレーニング画像として選択可能に構成される。分類情報設定部５８は、トレーニング画像入力画面１０７によって２つ以上（好ましくは３つ）のトレーニング画像の入力を受け付ける。分類情報設定部５８は、入力された２つ以上のトレーニング画像をそのまま参照データとして設定してもよく、あるいは、入力された２つ以上のトレーニング画像の類似特徴点を検出し、その検出結果に基づいて分類情報を生成してもよい。
【００５９】
拡張情報設定部６０は、入力画像データを拡張処理する際のクラス毎の拡張情報を複合機１に対して設定する。拡張情報設定部６０は、例えば、拡張情報として、「鮮明度の向上」（Ａｄｖａｎｃｅｄ  Ｃｌａｒｉｔｙ）のＯｎ／Ｏｆｆ（Ｏｎの場合には、５段階で設定可能）、「自動切り抜き（自動縁除去）」（Ａｕｔｏ  Ｃｒｏｐ）のＯｎ／Ｏｆｆ、「自動歪み矯正」（Ａｕｔｏ、Ｄｅｓｋｅｗ）のＯｎ／Ｏｆｆ、「エッジのクリーンアップ」（Ｅｄｇｅ  Ｃｌｅａｎｕｐ）のＯｎ／Ｏｆｆ、「背景の平滑化」（Ｂａｃｋｇｒｏｕｎｄ  Ｓｍｏｏｔｈｉｎｇ）のＯｎ／Ｏｆｆ、「空白ページの削除」（Ｂｌａｎｋ  Ｐａｇｅ  Ｄｅｌｅｔｉｏｎ）のＯｎ／Ｏｆｆ、「色検出」（Ｃｏｌｏｒ  Ｄｅｔｅｃｔ）のＯｎ／Ｏｆｆ、「カラーモード」（Ｃｏｌｏｒ  Ｍｏｄｅ）のＯｎ／Ｏｆｆ（フルカラー／モノクロ）、「穴埋め」（Ｆｉｌｌ  Ｈｏｌｅｓ）のＯｎ／Ｏｆｆ、「フィルター処理」（Ｆｉｌｔｅｒ  Ｅｎａｂｌｅｄ）のＯｎ／Ｏｆｆ等を設定可能に構成される。例えば、拡張情報設定部６０は、拡張情報設定画面１４４（図２３等参照）を操作表示ユニット１３に表示して、拡張情報設定画面１４４を介して拡張情報の設定や変更を受け付け、拡張情報設定画面１４４で設定又は変更された拡張情報をクラス情報に関連付けて記憶部５２に記憶する。
【００６０】
出力先情報設定部６１は、入力画像データを出力処理する際のクラス毎の出力先情報を複合機１に対して設定する。出力先情報設定部６１は、例えば、出力先情報として、装置本体２の第１排紙トレイ６や後処理ユニット４の第２排紙トレイ３８及び複数の第３排紙トレイ４１等の複数の出力トレイの中から１つ以上の出力トレイを選択可能に構成される。あるいは、出力先情報設定部６１は、例えば、出力先情報として、複合機１の記憶部５２や、通信部５３を介して接続された管理者端末４３、ユーザー端末４４及び第三者端末４５のＩＰアドレスやメールアドレス、外部のファクシミリ４６のＦＡＸ番号等の複数の宛先（配信先）の中から１つ以上の宛先を選択可能に構成される。なお、宛先としての記憶部５２が複数のフォルダに分割又は階層化される場合には、出力先情報設定部６１は、記憶部５２の複数のフォルダの中から１つ以上のフォルダを宛先として選択してよい。
【００６１】
例えば、出力先情報設定部６１は、宛先設定画面１４８（図２５等参照）や出力トレイ設定画面１５８（図２７等参照）を操作表示ユニット１３に表示して、宛先設定画面１４８や出力トレイ設定画面１５８を介して宛先や出力トレイ等の出力先情報の設定を受け付け、宛先設定画面１４８や出力トレイ設定画面１５８で設定された宛先や出力トレイ等の出力先情報をクラス情報に関連付けて記憶部５２に記憶する。
【００６２】
画像分類部５６は、記憶部５２に記憶された分類情報に基づいて、入力画像データを１つ以上のクラス（カテゴリー）の何れかに分類する。例えば、画像分類部５６は、各クラス情報の分類情報としての参照データの特徴点と、入力画像データから検出される特徴点とを比較して、所定のクラスに関して特徴点間の類似度が高い場合、即ち、入力画像データが所定のクラスの分類情報（参照データ）に類似している場合に、入力画像データをその所定のクラスに分類する。なお、画像分類部５６は、入力画像データが類似する分類情報（参照データ）が存在しない場合には、入力画像データを「その他」のクラスに分類する。
【００６３】
画像処理部５７は、画像分類部５６によって分類された入力画像データのクラス（以下、分類クラスと称する）に対応するクラス情報（以下、分類クラス情報と称する）を記憶部５２から取得すると共に、分類クラス情報に基づいて入力画像データを画像処理する。
【００６４】
例えば、画像処理部５７の拡張処理部６２は、分類クラス情報の拡張情報に基づいて、入力画像データを拡張処理して出力画像データを生成する。
【００６５】
また、例えば、画像処理部５７の出力処理部６３は、分類クラス情報の出力先情報に基づいて、入力画像データに基づく出力画像データに対して出力処理を行う。出力処理部６３は、出力先情報として出力トレイが設定されている場合には、出力画像データについての上記の画像形成動作を出力処理として行う。一方、出力処理部６３は、出力先情報として宛先が設定されている場合には、出力画像データを添付したメールの送信や出力画像データ自体の転送、あるいは出力画像データのＦＡＸ送信等の送信動作を出力処理として行う。
【００６６】
なお、出力処理部６３は、拡張処理部６２が入力画像データを拡張処理する場合には、拡張処理後の出力画像データに対して出力処理を行い、一方、拡張処理部６２が入力画像データを拡張処理しない場合には、入力画像データをそのまま出力画像データとして使用して出力処理を行う。出力処理部６３は、分類クラス情報に２つ以上の出力先情報が設定されている場合、同一の出力画像データをこれらの２つ以上の出力先情報に基づいて出力処理する。
【００６７】
次に、上記した画像出力管理アプリケーション６７による画像出力管理の設定動作について、図４〜図２８を参照しながら説明する。この設定動作は、複合機１の操作表示ユニット１３を用いて行われ、操作表示ユニット１３は、制御装置５０（画像出力管理アプリケーション６７）によって制御されて後述する各画面を表示画面に表示する。
【００６８】
操作表示ユニット１３では、システムメニューキー（図示せず）を押下すると表示画面に「共通設定」や「クイックセットアップウィザード」等を含むシステムメニューが表示され、システムメニューの「共通設定」を選択することで表示画面に共通設定画面７０（図５参照）が表示される。共通設定画面７０では、「分類・拡張」等の複数の項目が表示され、特に、「分類・拡張」の項目について、「分類・拡張」機能（即ち、画像出力管理アプリケーション６７）の稼働状態がＯｎ／Ｏｆｆで表示されると共に変更ボタン７１が表示される。この変更ボタン７１を押下することで分類拡張切換画面７３（図６参照）が表示される。
【００６９】
分類拡張切換画面７３では、分類・拡張機能（即ち、画像出力管理アプリケーション６７）のＯｎボタン７４及びＯｆｆボタン７５の何れかを選択可能になっている。また、分類拡張切換画面７３では、ログ履歴機能のＯｎ／Ｏｆｆが表示されると共に変更ボタン７６が表示されていて、この変更ボタン７６を押下することで画像出力管理のログ履歴のＯｎ／Ｏｆｆを切り換えることができる。
【００７０】
分類拡張切換画面７３において、分類・拡張機能のＯｆｆボタン７５が選択されている場合には、複合機１では通常の画像印刷や画像送信等の画像出力が行われる。一方、分類・拡張機能のＯｎボタン７４が選択されている場合には、制御装置５０が画像出力管理アプリケーション６７を実行して、複合機１における画像印刷や画像送信等の画像出力は、画像出力管理アプリケーション６７による画像出力管理に応じて行われる。
【００７１】
分類拡張切換画面７３におけるＯｎボタン７４及びＯｆｆボタン７５の選択は、次ボタン７７を押下することで確定し、キャンセルボタン７８を押下することで取り消される。この次ボタン７７の押下によって画像出力管理アプリケーション６７による画像出力管理の設定動作が開始して、画像出力管理画面８０（分類・拡張設定画面）（図７参照）が表示され（ステップＳ１）、また、キャンセルボタン７８の押下によって共通設定画面７０へと戻る。
【００７２】
画像出力管理画面８０では、クラス情報テーブル８１が表示され、また、追加ボタン８２、編集ボタン８３、削除ボタン８４、詳細ボタン８５及びリセットボタン８６が表示され、更に、ＯＫボタン８７及び閉ボタン８８が表示される。ＯＫボタン８７又は閉ボタン８８の押下によって画像出力管理アプリケーション６７による画像出力管理の設定動作が終了し（ステップＳ２：Ｙｅｓ）、共通設定画面７０へと戻る。
【００７３】
クラス情報テーブル８１には、複合機１に既に設定されている１つ以上のクラス情報が記憶部５２から読み出されて表示され、１つ以上のクラス情報を選択可能になっている。例えば、複合機１では、上記した「身分証」、「パスポート」、「フォーム」、「ドキュメント」及び「その他」の５つのクラス情報が初期状態で設定されている。クラス情報テーブル８１の各クラス情報には、クラス名、拡張処理の設定状態、宛先及び出力トレイが表示される。
【００７４】
画像出力管理画面８０では、追加ボタン８２を押下することで（ステップＳ３：Ｙｅｓ）、新規のクラス情報の追加処理が行われ、編集ボタン８３を押下することで（ステップＳ３：Ｙｅｓ）、クラス情報テーブル８１で選択されているクラス情報の編集処理が行われる。追加処理及び編集処理については後述する。また、削除ボタン８４を押下することで（ステップＳ４：Ｙｅｓ）、クラス情報テーブル８１で選択されているクラス情報の削除処理が行われる（ステップＳ５）。詳細ボタン８５を押下することでクラス情報の詳細表示処理が行われる。また、リセットボタン８６を押下することで（ステップＳ６：Ｙｅｓ）、上記したクラス情報の追加処理、編集処理及び削除処理に対するリセット処理が行われる（ステップＳ７）。上記した追加処理、編集処理、削除処理及びリセット処理は、ＯＫボタン８７を押下することで確定し、閉ボタン８８を押下することで取り消される。
【００７５】
詳細表示処理では、例えば、クラス情報テーブル８１で選択中のクラス情報の詳細画面がポップアップ表示され、この詳細画面には、例えば、クラス情報のクラス名、「鮮明度の向上」、「自動歪み矯正」、「背景の平滑化」「穴埋め」等の拡張情報、宛先及び出力トレイ等が表示される。
【００７６】
また、画像出力管理画面８０において、追加ボタン８２又は編集ボタン８３を押下すると、クラス情報設定部５５によって、上記したクラス情報の追加処理や編集処理が開始して、画像出力管理画面８０からクラス情報設定画面９０（分類・拡張セットアップ画面）（図８参照）へと切り替わる（ステップＳ８）。
【００７７】
クラス情報設定画面９０では、処理フロー９１及び現在の処理内容９２が表示され、また、次ボタン９３及び終了ボタン９４が表示される。処理フロー９１では、「クラス名設定」、「トレーニング画像入力」、「トレーニング画像解析」、「拡張情報設定」、「宛先設定」及び「出力トレイ設定」のフローが表示され、実行中又は実行済みのフローにはチェックマーク９５（図１０等参照）が付される。クラス情報設定画面９０では、次ボタン９３を押下することで処理フロー９１が順次進行し、終了ボタン９４を押下することでクラス情報の追加処理や編集処理が中止されて画像出力管理画面８０へと戻る。即ち、クラス情報設定画面９０において、処理フロー９１が全て完了する前に終了ボタン９４が押下されると、クラス情報の追加処理や編集処理は確定しない。
【００７８】
なお、クラス情報設定画面９０は、操作表示ユニット１３のシステムメニューの「クイックセットアップウィザード」を選択してクイックセットアップウィザード画面９７（図９参照）が表示されたときに、クイックセットアップウィザード画面９７の「分類・拡張セットアップ」の次ボタン９８を押下した場合にも、クラス情報の追加処理のために表示される。
【００７９】
クラス情報の追加処理や編集処理では、先ず、クラス情報設定画面９０の次ボタン９２を押下すると、クラス情報設定画面９０が切り替えられて、処理フロー９１の「クラス名設定」にチェックマーク９５が付されると共に、クラス名を設定すべきことが現在の処理内容９２に表示される（図１０参照）。更に、次ボタン９３を押下すると、「クラス名設定」のフローが開始し（ステップＳ９）、クラス情報設定画面９０からクラス名設定画面１００（図１１参照）へと切り替わる。
【００８０】
クラス名設定画面１００では、クラス名の入力ボックス１０１が表示され、また、次ボタン１０２、戻るボタン１０３及び終了ボタン１０４が表示される。クラス名設定画面１００を表示直後の入力ボックス１０１は、追加処理の場合には空欄になっていて、編集処理の場合には編集対象のクラス情報から既に設定されているクラス名を取得して入力しておく。入力ボックス１０１は、操作表示ユニット１３のキーボード（図示せず）操作によるクラス名の入力や編集を受け付け、操作表示ユニット１３がキーボードを備えていない場合には、キーボードボタン１０５の押下によって操作表示ユニット１３の表示画面にキーボード（図示せず）が表示される。
【００８１】
クラス名設定画面１００でのクラス名の入力又は編集後に次ボタン１０２を押下すると、入力ボックス１０１に入力された名前が仮クラス名として設定（一時記憶）され、「クラス名設定」のフローが完了してクラス情報設定画面９０へと切り替わる。また、クラス名設定画面１００において、戻るボタン１０３を押下すると、１つ前のフロー（図１０に示すクラス情報設定画面９０の表示）に戻り、終了ボタン１０４は、クラス情報設定画面９０の終了ボタン９４と同じ機能を有する。
【００８２】
次に、クラス情報設定画面９０では、処理フロー９１の「トレーニング画像入力」にチェックマーク９５が付されると共に、トレーニング画像を入力すべきことが現在の処理内容９２に表示される（図１２参照）。ここで、次ボタン９３を押下すると、分類情報設定部５８によって、「トレーニング画像入力」のフローが開始して（ステップＳ１０）、クラス情報設定画面９０からトレーニング画像入力画面１０７（図１３参照）へと切り替わる。
【００８３】
トレーニング画像入力画面１０７では、３つのトレーニング画像のデータ名１０８（ファイル名）が表示され、また、読込ボタン１１０、スキャンボタン１１１及び全削除ボタン１１２が表示され、更に、ＯＫボタン１１３及びキャンセルボタン１１４が表示される。トレーニング画像入力画面１０７を表示直後のデータ名１０８は、追加処理の場合には空欄になっていて、編集処理の場合には編集対象のクラス情報から既に設定されているデータ名を取得して入力しておく。
【００８４】
トレーニング画像入力画面１０７の読込ボタン１１０を押下すると、トレーニング画像入力画面１０７からトレーニング画像読込画面１１６（図１４、図１６参照）へと切り替わる。
【００８５】
トレーニング画像読込画面１１６では、ユーザーボックスタブ１１７及び外部メモリータブ１１８が表示され、ユーザーボックスタブ１１７が選択されることでユーザーボックス画面１２０（図１４参照）が表示され、外部メモリータブ１１８が選択されることで外部メモリー画面１３０（図１６参照）が表示される。
【００８６】
ユーザーボックス画面１２０には、複合機１の記憶部５２においてユーザーが文書や画像の保存先として利用可能な記憶領域を示す１つ以上のボックス（フォルダ）のボックステーブル１２１が表示され、また、開ボタン１２２が表示される。ボックステーブル１２１には、ボックス毎に、ボックス番号、ボックス名、所有者名及び使用容量が表示され、各ボックスを選択可能になっている。開ボタン１２２を押下することで、ボックステーブル１２１で選択中のボックス（選択ボックス）の画像テーブル画面１２４（図１５参照）がポップアップ表示される。このとき、記憶部５２の選択ボックス内に記憶されている画像の情報が読み出される。
【００８７】
画像テーブル画面１２４には、選択ボックスから読み出された画像の画像テーブル１２５が表示され、また、ＯＫボタン１２６が表示されている。画像テーブル１２５には、選択ボックス内の画像のデータ名（ファイル名）及びサムネイルが一覧表示され、各画像に対応してチェックボックス１２７が表示されている。なお、画像テーブル１２５は、選択ボックス内の画像について、サムネイルを表示することなく、詳細情報を表示してもよい。このチェックボックス１２７をチェックすることで対応する画像が選択される。ＯＫボタン１２６を押下することで、画像テーブル１２５のチェックボックス１２７で選択された画像がトレーニング画像として選択（一時記憶）され、画像テーブル画面１２４からトレーニング画像入力画面１０７へと切り替わる。
【００８８】
また、外部メモリー画面１３０が表示される場合には、外部メモリー６８に記憶されている画像の情報が外部メモリー接続部５４に読み出される。外部メモリー画面１３０には、外部メモリー６８から読み出された画像の画像テーブル１３１が表示され、また、ＯＫボタン１３２が表示されている。画像テーブル１３１には、外部メモリー６８から読み出された画像が、上記した画像テーブル画面１２４の画像テーブル１２５と同様にして一覧表示され、各画像に対応してチェックボックス１３３が表示されている。このチェックボックス１３３をチェックすることで対応する画像が選択される。ＯＫボタン１３２を押下することで、画像テーブル１３１のチェックボックス１３３で選択された画像がトレーニング画像として選択（一時記憶）され、外部メモリー画面１３０からトレーニング画像入力画面１０７へと切り替わる。
【００８９】
トレーニング画像読込画面１１６のユーザーボックス画面１２０（画像テーブル画面１２４）や外部メモリー画面１３０で選択されたトレーニング画像のデータ名は、図１７に示すように、トレーニング画像入力画面１０７のトレーニング画像のデータ名１０８に表示される。
【００９０】
また、トレーニング画像入力画面１０７のスキャンボタン１１１を押下すると、トレーニング画像入力画面１０７からトレーニング画像スキャン画面１３５（図１８参照）へと切り替わる。
【００９１】
トレーニング画像スキャン画面１３５では、スキャンボタン１３６が表示され、また、ＯＫボタン１３７及びキャンセルボタン１３８が表示される。更に、トレーニング画像スキャン画面１３５では、スキャン対象の３つの画像を「画像１」、「画像２」及び「画像３」として識別していて、「画像１」〜「画像３」のスキャン状態等が表示される。
【００９２】
トレーニング画像スキャン画面１３５が表示された状態で、スキャンボタン１３６又は操作表示ユニット１３のスタートキー（図示せず）を押下すると、トレーニング画像のスキャン動作が開始する。トレーニング画像のスキャン動作では、画像読取装置７が稼働して、プラテンガラス８に載置された原稿、又は原稿搬送部１０の原稿トレイ１１からプラテンガラス８上に供給された原稿から画像が読み取られ、その画像データは記憶部５２に記憶される。
【００９３】
このとき、トレーニング画像スキャン画面１３５では、「スキャン中」の文字等が表示されると共に、３つの画像の中でスキャンの完了したものに対してチェックマークが付される。なお、画像読取装置７がプラテンガラス８に載置された原稿から画像を読み取る場合には、１枚目と２枚目の原稿の画像読取後に、「次の原稿をセットしてください」等の文字をトレーニング画像スキャン画面１３５に表示するとよい。また、画像読取装置７によるスキャンが失敗した場合には、トレーニング画像スキャン画面１３５にエラー表示をするとよい。
【００９４】
トレーニング画像スキャン画面１３５において、スキャンボタン１３６は、スキャン前では操作可能に表示されているが、スキャン中及びスキャン完了後ではグレー表示されて操作不能になっている。キャンセルボタン１３８は、いつでも操作可能であり、キャンセルボタン１３８を押下すると、トレーニング画像の選択がされることなく、トレーニング画像入力画面１０７へと戻る。特に、スキャン中にキャンセルボタン１３８を押下すると、画像読取装置７によるスキャン動作を中止する。ＯＫボタン１３７は、スキャン前及びスキャン中ではグレー表示されて操作不能になっているが、スキャン完了後では操作可能に表示される。スキャン完了後にＯＫボタン１３７を押下すると、画像読取装置７でスキャンされた画像がトレーニング画像として選択（一時記憶）され、トレーニング画像スキャン画面１３５からトレーニング画像入力画面１０７へと切り替わる。
【００９５】
トレーニング画像入力画面１０７では、トレーニング画像スキャン画面１３５で選択されたトレーニング画像の「画像１」〜「画像３」が、図１９に示すように、トレーニング画像のデータ名１０８に表示される。ここで、トレーニング画像入力画面１０７のＯＫボタン１１３を押下すると、データ名１０８に示された画像がトレーニング画像として設定（一時記憶）され、「トレーニング画像入力」のフローが完了して、クラス情報設定画面９０へと切り替わる。また、キャンセルボタン１１４を押下すると、トレーニング画像の設定がされることなく、１つ前のフロー（図１２に示すクラス情報設定画面９０の表示）に戻る。
【００９６】
次に、クラス情報設定画面９０では、処理フロー９１の「トレーニング画像解析」にチェックマーク９５が付されると共に、トレーニング画像を解析すべきことが現在の処理内容９２に表示される（図２０参照）。ここで、次ボタン９３を押下すると、「トレーニング画像解析」のフローが開始し（ステップＳ１１）、クラス情報設定画面９０からトレーニング画像解析画面１４０（図２１参照）へと切り替わる。
【００９７】
トレーニング画像解析画面１４０では、トレーニング画像の解析状態が表示され、また、終了ボタン１４１が表示される。終了ボタン１４１は、クラス情報設定画面９０の終了ボタン９４と同じ機能を有する。「トレーニング画像解析」のフローでは、分類情報設定部５８によって、トレーニング画像入力画面１０７で設定された３つのトレーニング画像が解析されて、上記したような参照データが生成される。トレーニング画像解析画面１４０には、トレーニング画像の解析状態として、トレーニング画像を解析している間は「トレーニング画像の解析中」の文字等が表示され、トレーニング画像の解析が完了すると「トレーニング画像の解析成功」の文字等が表示される。
【００９８】
トレーニング画像解析画面１４０では、トレーニング画像の解析が完了すると、次ボタン１４２が表示される。次ボタン１４２を押下すると、分類情報設定部５８で生成された参照データが仮分類情報として設定（一時記憶）され、「トレーニング画像解析」のフローが完了して、トレーニング画像解析画面１４０からクラス情報設定画面９０へと切り替わる。
【００９９】
次に、クラス情報設定画面９０では、処理フロー９１の「拡張情報設定」にチェックマーク９５が付されると共に、拡張情報を設定すべきことが現在の処理内容９２に表示される（図２２参照）。ここで、次ボタン９３を押下すると、拡張情報設定部６０によって、「拡張情報設定」のフローが開始して（ステップＳ１２）、クラス情報設定画面９０から拡張情報設定画面１４４（図２３参照）へと切り替わる。
【０１００】
拡張情報設定画面１４４では、「鮮明度の向上」のＯｎ／Ｏｆｆ、「自動切り抜き」のＯｎ／Ｏｆｆ、「自動歪み矯正」のＯｎ／Ｏｆｆ、「エッジのクリーンアップ」のＯｎ／Ｏｆｆ、「背景の平滑化」のＯｎ／Ｏｆｆ、「空白ページの削除」のＯｎ／Ｏｆｆ、「色検出」のＯｎ／Ｏｆｆ、「カラーモード」のフルカラー／モノクロ、「穴埋め」のＯｎ／Ｏｆｆ、「フィルター処理」のＯｎ／Ｏｆｆ等の拡張情報が表示されると共に、各拡張情報を設定可能な各種ボタン１４５が表示される。拡張情報設定画面１４４を表示直後の各拡張情報は、追加処理の場合には初期値になっていて、編集処理の場合には編集対象のクラス情報から既に設定されている拡張情報を取得して入力しておく。なお、拡張情報設定画面１４４の各種ボタン１４５は、各拡張情報の個別の設定画面を表示するように設けられてもよい。
【０１０１】
また、拡張情報設定画面１４４では、閉ボタン１４６が表示されている。閉ボタン１４６を押下すると、拡張情報設定画面１４４に表示されていた各拡張情報が、仮拡張情報として設定（一時記憶）され、「拡張情報設定」のフローが完了して、拡張情報設定画面１４４からクラス情報設定画面９０へと切り替わる。
【０１０２】
次に、クラス情報設定画面９０では、処理フロー９１の「宛先設定」にチェックマーク９５が付されると共に、宛先情報を設定すべきことが現在の処理内容９２に表示される（図２４参照）。ここで、次ボタン９３を押下すると、出力先情報設定部６１によって、「宛先設定」のフローが開始して（ステップＳ１３）、クラス情報設定画面９０から宛先設定画面１４８（図２５参照）へと切り替わる。
【０１０３】
宛先設定画面１４８では、アドレス帳リスト１５０、宛先テーブル１５１、宛先ソートリスト１５２及び各種絞り込みボタン１５３等が表示され、また、ＯＫボタン１５４及びキャンセルボタン１５５が表示される。アドレス帳リスト１５０は、複合機１（記憶部５２）に登録されている１つ以上のアドレス帳をドロップダウンリスト等で選択可能に表示する。宛先テーブル１５１には、アドレス帳リスト１５０で選択されたアドレス帳に含まれる宛先情報が一覧表示され、各宛先情報に対応してチェックボックス１５６が表示されている。各宛先情報には、例えば、宛先の識別番号、タイプ、名前及び詳細情報（メールアドレスやＦＡＸ番号等の情報）が表示される。このチェックボックス１５６をチェックすることで対応する宛先情報が選択され、宛先テーブル１５１では、１つ以上の宛先情報を選択することができる。宛先ソートリスト１５２は、宛先情報を宛先テーブル１５１に表示するときの順序（例えば、識別番号順、名前順、宛先タイプ順等）をドロップダウンリスト等で選択可能に表示する。各種絞り込みボタン１５３を押下することで、アドレス帳リスト１５０で選択されたアドレス帳に含まれる宛先情報から、所定の情報を絞り込んで宛先テーブル１５１に表示させる。例えば、各種絞り込みボタン１５３は、所定の頭文字の名前の宛先情報に絞り込んで宛先テーブル１５１に表示させるための「ＡＢＣ」ボタン〜「０−９」ボタンや、所定の宛先タイプの宛先情報に絞り込んで宛先テーブル１５１に表示させるための「Ｅメール」ボタン〜「グループ」ボタンを備える。
【０１０４】
ここで、宛先設定画面１４８のＯＫボタン１５４を押下すると、宛先テーブル１５１のチェックボックス１５６で選択された１つ以上の宛先情報が仮宛先情報として設定（一時記憶）され、「宛先情報設定」のフローが完了して、宛先設定画面１４８からクラス情報設定画面９０へと切り替わる。また、キャンセルボタン１５５を押下すると、仮宛先情報の設定がされることなく、１つ前のフロー（図２４に示すクラス情報設定画面９０の表示）に戻る。
【０１０５】
次に、クラス情報設定画面９０では、処理フロー９１の「出力トレイ設定」にチェックマーク９６が付されると共に、出力トレイを設定すべきことが現在の処理内容９２に表示される（図２６参照）。ここで、次ボタン９３を押下すると、出力先情報設定部６１によって、「出力トレイ設定」のフローが開始して（ステップＳ１４）、クラス情報設定画面９０から出力トレイ設定画面１５８（図２７参照）へと切り替わる。
【０１０６】
出力トレイ設定画面１５８では、出力トレイテーブル１６０等が表示され、また、ＯＫボタン１６１及びキャンセルボタン１６２が表示される。出力トレイテーブル１６０には、複合機１で画像形成後の用紙の出力先として設定されている第１排紙トレイ６、第２排紙トレイ３８及び複数の第３排紙トレイ４１等の複数の出力トレイ情報が一覧表示され、各出力トレイ情報に対応してチェックボックス１６３が表示されている。このチェックボックス１６３をチェックすることで対応する出力トレイ情報が選択され、出力トレイテーブル１６０では、１つ以上の出力トレイ情報を選択することができる。
【０１０７】
ここで、出力トレイ設定画面１５８のＯＫボタン１６１を押下すると、出力トレイテーブル１６０のチェックボックス１６３で選択された１つ以上の出力トレイ情報が仮出力トレイ情報として設定（一時記憶）され、「出力トレイ設定」のフローが完了する。また、キャンセルボタン１６２を押下すると、仮出力トレイの設定がされることなく、１つ前のフロー（図２６に示すクラス情報設定画面９０の表示）に戻る。
【０１０８】
上記のようにして「出力トレイ設定」のフローが完了すると、クラス情報の追加処理又は編集処理が完了して画像出力管理画面８０へと切り替わる（図２８参照）。ここで、画像出力管理画面８０では、クラス情報設定部５５によって、追加処理で追加されたクラス情報や編集処理で編集されたクラス情報（仮クラス名、仮分類情報、仮拡張情報、仮宛先情報及び仮出力トレイ情報）が、クラス情報テーブル８１に反映されて表示される。クラス情報テーブル８１に反映されたクラス情報は、上記したように、画像出力管理画面８０のＯＫボタン８７を押下することで確定して、即ち、仮クラス名、仮分類情報、仮拡張情報、仮宛先情報及び仮出力トレイ情報をそれぞれクラス名、分類情報、拡張情報、宛先情報及び出力トレイ情報として有するクラス情報が記憶部５２に記憶される。
【０１０９】
次に、複合機１のスキャン及び送信処理の動作について、図２９〜図３０を参照しながら説明する。本実施形態では、送信ジョブが、複合機１の操作表示ユニット１３を用いて入力され、各画面が操作表示ユニット１３の表示画面に表示される場合について説明する。
【０１１０】
操作表示ユニット１３では、送信キー（図示せず）を押下すると表示画面に送信処理画面１７０（図２９参照）が表示される。送信処理画面１７０では、宛先テーブル１７１、アドレス帳ボタン１７２、新規Ｅメールボタン１７３、新規フォルダボタン１７４、新規ＦＡＸ／新規ｉ−ＦＡＸボタン１７５、ＷＳＤスキャン／ＤＳＭスキャンボタン１７６及び自動分類送信ボタン１７７等が表示される。宛先テーブル１７１には、送信処理の対象となる宛先情報が一覧表示され、操作表示ユニット１３のスタートキーが押下されると、通常、宛先テーブル１７１に表示された宛先情報に対して送信処理が行われることになる。宛先テーブル１７１は、初期状態では宛先情報を含んでいないが、後述するように、アドレス帳ボタン１７２、新規Ｅメールボタン１７３、新規フォルダボタン１７４、新規ＦＡＸ／新規ｉ−ＦＡＸボタン１７５、ＷＳＤスキャン／ＤＳＭスキャンボタン１７６等の操作に応じて、宛先情報が追加される。
【０１１１】
アドレス帳ボタン１７２を押下すると、複合機１（記憶部５２）に記憶されているアドレス帳に含まれる宛先情報のリスト画面（図示せず）が表示され、このリスト画面で選択された宛先情報が宛先テーブル１７１へと追加される。新規Ｅメールボタン１７３を押下すると、Ｅメールアドレスの入力画面（図示せず）が表示され、この入力画面で入力されたＥメールアドレスが宛先テーブル１７１へと追加される。新規フォルダボタン１７４を押下すると、新規フォルダの生成画面（図示せず）が表示され、この生成画面を介して記憶部５２に生成された新規フォルダのパスが宛先テーブル１７１へと追加される。新規ＦＡＸ／新規ｉ−ＦＡＸボタン１７５を押下すると、ＦＡＸ番号やｉ−ＦＡＸで用いるＥメールアドレスの入力画面（図示せず）が表示され、この入力画面で入力されたＦＡＸ番号やＥメールアドレスが宛先テーブル１７１へと追加される。ＷＳＤスキャン／ＤＳＭスキャンボタン１７６を押下すると、データの転送先となる管理者端末４３やユーザー端末４４を識別可能なコンピュータ名やＩＰアドレス等の端末識別情報の入力画面（図示せず）が表示され、この入力画面で入力された端末識別情報が宛先テーブル１７１へと追加される。
【０１１２】
自動分類送信ボタン１７７は、押下する毎に選択状態のＯｎ／Ｏｆｆが切り替わるように表示される。自動分類送信ボタン１７７は、選択状態がＯｆｆの場合には、通常表示されて、操作表示ユニット１３のスタートキーが押下されると、複合機１で通常のスキャン及び送信処理が行われる。通常のスキャン及び送信処理の説明は省略する。一方、自動分類送信ボタン１７７は、選択状態がＯｎの場合には、反転表示されて、操作表示ユニット１３のスタートキーが押下されると、複合機１では、スキャン処理後に、画像出力管理アプリケーション６７による画像出力管理を伴って自動分類送信処理が行われる。以下では、この自動分類送信処理について説明する。
【０１１３】
自動分類送信処理の前に、先ず、スキャン処理が開始して画像読取装置７が稼働し、プラテンガラス８に載置された原稿、又は原稿搬送部１０の原稿トレイ１１からプラテンガラス８上に供給された原稿から画像が読み取られる。読み取られた画像は、入力画像データとして記憶部５２に記憶される。また、操作表示ユニット１３には、スキャンや送信の処理状態１８１を示すスキャン・送信状態画面１８０が表示され（図３０参照）、スキャン処理中では、処理状態１８１に「スキャン中です」等の文字が表示される。なお、図３０では、画像分類中のスキャン・送信状態画面１８０において処理状態１８１に「画像の分類中です」の文字を表示する例を示しているが、スキャン処理中の処理状態１８１には、図３０の「画像の分類中です」の文字に代えて「スキャン中です」の文字が表示される。
【０１１４】
その後、自動分類送信処理が開始して、画像分類部５６が、スキャン処理された入力画像データを、記憶部５２に記憶されたクラス情報の分類情報に基づいて、何れかのクラスに分類する。そして、送信処理の宛先は、分類されたクラス情報の１つ以上の宛先情報に基づいて設定される。このような入力画像データの分類中では、操作表示ユニット１３のスキャン・送信状態画面１８０において、処理状態１８１に「画像の分類中です」等の文字が表示される。
【０１１５】
そして、画像処理部５７が、分類された入力画像データを、対応するクラス情報の拡張情報に基づいて、画像処理（拡張処理）する。このような入力画像データの拡張処理中では、操作表示ユニット１３のスキャン・送信状態画面１８０において、処理状態１８１に「画像の拡張処理中です」等の文字が表示される。画像処理部５７で拡張処理された入力画像データは、出力画像データとして記憶部５２に記憶される。なお、図３０では、上記したように画像分類中のスキャン・送信状態画面１８０において処理状態１８１に「画像の分類中です」の文字を表示する例を示しているが、入力画像データの拡張処理中の処理状態１８１には、図３０の「画像の分類中です」の文字に代えて「画像の拡張処理中です」の文字が表示される（図３２の処理状態１９４と同様）。
【０１１６】
更に、通信部５３が、拡張処理後の出力画像データを、対応するクラス情報の宛先情報に基づいて設定された宛先へと送信処理する。このような出力画像データの送信処理中では、操作表示ユニット１３のスキャン・送信状態画面１８０において、処理状態１８１に「画像の送信中です」等の文字が表示される。なお、図３０では、上記したように画像分類中のスキャン・送信状態画面１８０において処理状態１８１に「画像の分類中です」の文字を表示する例を示しているが、出力画像データの送信処理中の処理状態１８１には、図３０の「画像の分類中です」の文字に代えて「画像の送信中です」の文字が表示される。
【０１１７】
次に、複合機１のコピー及び印刷処理の動作について、図３１〜図３２を参照しながら説明する。本実施形態では、コピージョブが、複合機１の操作表示ユニット１３を用いて入力され、各画面が操作表示ユニット１３の表示画面に表示される場合について説明する。
【０１１８】
操作表示ユニット１３では、コピーキー（図示せず）を押下すると表示画面にコピー処理画面１８３（図３１参照）が表示される。コピー処理画面１８３では、トレイ１ボタン１８４、トレイ２ボタン１８５、トレイ３ボタン１８６及び自動分類出力ボタン１８７等の出力トレイの選択ボタンが表示され、また、出力トレイ表示１８８、プレビューボタン１９０及び簡易プレビュー表示１９１が表示される。トレイ１ボタン１８４、トレイ２ボタン１８５又はトレイ３ボタン１８６が選択されることで、用紙の出力先が第１排紙トレイ６、第２排紙トレイ３８又は第３排紙トレイ４１に設定される。なお、第１排紙トレイ６の上方に中継ユニット３が設置されている場合には、トレイ１ボタン１８４はグレー表示されて操作不能になっている。また、中継ユニット３及び後処理ユニット４が設置されていない場合には、トレイ２ボタン１８５及びトレイ３ボタン１８６はグレー表示されて操作不能になっている。
【０１１９】
トレイ１ボタン１８４、トレイ２ボタン１８５又はトレイ３ボタン１８６が選択されている場合に、操作表示ユニット１３のスタートキーが押下されると、複合機１で通常のコピー及び印刷処理が行われる。通常のコピー及び印刷処理の説明は省略する。
【０１２０】
また、自動分類出力ボタン１８７が選択されると、用紙の出力先はコピー前には設定されず、操作表示ユニット１３のスタートキーが押下されると、複合機１では、コピー処理後に、画像出力管理アプリケーション６７による画像出力管理を伴って自動分類出力処理が行われる。以下では、この自動分類出力処理について説明する。
【０１２１】
自動分類出力処理の前に、先ず、コピー処理が開始して、上記のスキャン処理と同様にして画像読取装置７が稼働し、プラテンガラス８に載置された原稿、又は原稿搬送部１０の原稿トレイ１１からプラテンガラス８上に供給された原稿から画像が読み取られる。読み取られた画像は、入力画像データとして記憶部５２に記憶される。また、操作表示ユニット１３には、コピーや印刷の処理状態１９４を示すコピー・印刷状態画面１９３が表示され（図３２参照）、コピー処理中（スキャン処理中）では、処理状態１９４に「スキャン中です」等の文字が表示される。なお、図３２では、入力画像データの拡張処理中のコピー・印刷状態画面１９３において処理状態１９４に「画像の拡張処理中です」の文字を表示する例を示しているが、スキャン処理中の処理状態１９４には、図３２の「画像の拡張処理中です」の文字に代えて「スキャン中です」の文字が表示される。
【０１２２】
その後、自動分類出力処理が開始して、画像分類部５６が、（コピー処理）スキャン処理された入力画像データを、記憶部５２に記憶されたクラス情報の分類情報に基づいて、何れかのクラスに分類する。そして、印刷処理後の用紙の出力先は、分類されたクラス情報の１つ以上の出力トレイ情報に基づいて設定される。このような入力画像データの分類中では、操作表示ユニット１３のコピー・印刷状態画面１９３において、処理状態１９４に「画像の分類中です」等の文字が表示される。なお、図３２では、上記したように入力画像データの拡張処理中のコピー・印刷状態画面１９３において処理状態１９４に「画像の拡張処理中です」の文字を表示する例を示しているが、画像分類中の処理状態１９４には、図３２の「画像の拡張処理中です」の文字に代えて「画像の分類中です」の文字が表示される（図３０の処理状態１８１と同様）。
【０１２３】
そして、画像処理部５７が、分類された入力画像データを、対応するクラス情報の拡張情報に基づいて、画像処理（拡張処理）する。このような入力画像データの拡張処理中では、操作表示ユニット１３のコピー・印刷状態画面１９３において、上記したように、処理状態１９４に「画像の拡張処理中です」等の文字が表示される。画像処理部５７で拡張処理された入力画像データは、出力画像データとして記憶部５２に記憶される。
【０１２４】
更に、画像形成部１７が、拡張処理後の出力画像データに基づいて用紙に画像形成を行い、画像形成後の用紙は、搬送経路２６に沿って二次転写部２８及び定着装置３０を経由して排紙口３１へと達し、対応するクラス情報の出力トレイ情報に基づいて設定された出力トレイ（第１排紙トレイ６、第２排紙トレイ３８又は第３排紙トレイ４１）へと出力される。このような出力画像データの印刷処理中では、操作表示ユニット１３のコピー・印刷状態画面１９３において、処理状態１９４に「画像の印刷中です」等の文字が表示される。なお、図３２では、上記したように入力画像データの拡張処理中のコピー・印刷状態画面１９３において処理状態１９４に「画像の拡張処理中です」の文字を表示する例を示しているが、出力画像データの印刷処理中の処理状態１９４には、図３２の「画像の拡張処理中です」の文字に代えて「画像の印刷中です」の文字が表示される。
【０１２５】
また、上記の自動分類出力処理において、第１排紙トレイ６、第２排紙トレイ３８又は第３排紙トレイ４１が出力トレイとして用いられると、それぞれ対応する第１用紙センサー６４、第２用紙センサー６５又は第３用紙センサー６６が、第１排紙トレイ６、第２排紙トレイ３８又は第３排紙トレイ４１上の用紙の有無を検知する。そして、制御装置５０は、第１用紙センサー６４、第２用紙センサー６５又は第３用紙センサー６６からの検知結果に基づいて、第１排紙トレイ６、第２排紙トレイ３８又は第３排紙トレイ４１上から用紙が取り除かれるまで、その出力トレイの使用を禁止する。
【０１２６】
なお、上記の分類拡張切換画面７３において、画像出力管理のログ履歴機能がＯｎに設定されている場合には、画像出力管理を伴う画像印刷や画像送信について、クラス名や処理結果等を含むログ履歴が記憶部５２に記憶される。ログ履歴は、後述するログ履歴画面２００で確認することができる。
【０１２７】
操作表示ユニット１３の確認キーを押下すると、操作表示ユニット１３の表示画面に確認画面１９６が表示される。確認画面１９６では、状況タブ１９７及びログタブ１９８が表示され、状況タブ１９７が選択されることで状況確認画面（図示せず）が表示され、ログタブ１９８が選択されることでログ履歴画面２００（図３３参照）が表示される。
【０１２８】
ログ履歴画面２００には、ログ履歴テーブル２０１が表示され、また、印刷ジョブタブ２０２、送信ジョブタブ２０３及び保存ジョブタブ２０４等が表示される。ログ履歴テーブル２０１には、複合機１がこれまでに行ったジョブの処理結果が一覧表示される。例えば、印刷ジョブタブ２０２、送信ジョブタブ２０３又は保存ジョブタブ２０４を選択することで、ログ履歴テーブル２０１では、印刷ジョブ、送信ジョブ又は保存ジョブの処理結果が表示される。ログ履歴テーブル２０１では、各ジョブについて、ジョブ番号、実行日、タイプ、ジョブ名、ユーザー名及び処理結果等が表示され、画像出力管理を伴うジョブについては特に、分類されたクラス名が表示される。
【０１２９】
本実施形態によれば、上述のように、画像出力管理装置としての複合機１は、入力画像データを１つ以上のクラスの何れかに分類するための分類情報を設定する分類情報設定部５８と、入力画像データを拡張処理する際のクラス毎の拡張情報を設定する拡張情報設定部６０と、入力画像データを出力処理する際のクラス毎の出力先情報を設定する出力先情報設定部６１と、分類情報、拡張情報及び出力先情報をクラス毎に関連付けてクラス情報として記憶する記憶部５２と、入力画像データを分類情報に基づいて１つ以上のクラスの何れかに分類する画像分類部５６と、画像分類部５６によって分類された入力画像データのクラスに対応するクラス情報を記憶部５２から取得すると共に、取得したクラス情報に基づいて入力画像データを画像処理する画像処理部５７と、を備える。また、画像処理部５７は、クラス情報の拡張情報に基づいて、入力画像データを拡張処理して出力画像データを生成する拡張処理部６２と、クラス情報の出力先情報に基づいて、入力画像データに基づく出力画像データを出力処理する出力処理部６３と、を備える。
【０１３０】
これにより、１つ以上のクラスの入力画像データや原稿が混じっている場合でも、入力画像データや原稿をユーザーが視認したり予め分類したりする必要がなく、出力画像データは自動的にクラス毎に分類され、また、自動的にクラス毎に異なる拡張処理が適用され、更に、自動的にクラス毎に異なる出力先へと出力することができる。従って、ユーザーの負担を軽減すると共に、入力画像データや原稿の分類に費やす作業時間を減少することができる。このように、画像出力を自動的によりよく整理することが可能となり、ユーザーに負担や作業時間をかけることなく、ユーザーの便宜に合わせた画像出力を管理することができる。
【０１３１】
また、本実施形態によれば、分類情報設定部５８は、２つ以上のトレーニング画像の入力を受け付けると共に、入力された２つ以上のトレーニング画像の類似特徴点を検出し、その検出結果に基づいて分類情報を生成する。これにより、クラス毎に異なる所望のトレーニング画像に基づいて入力画像データを自動的に分類することができるため、入力画像データの分類精度を向上することが可能となる。
【０１３２】
また、本実施形態によれば、出力先情報設定部６１は、クラス毎に１つ以上の出力先情報をクラス情報として設定可能とし、出力処理部６３は、所定のクラスのクラス情報に２つ以上の出力先情報が設定されている場合、同一の出力画像データを２つ以上の出力先情報に基づいて出力処理する。これにより、出力画像データを自動的に２つ以上の出力先に出力することができるため、複数送信や複数コピーに伴うユーザーの負担や作業時間を軽減することができる。
【０１３３】
また、本実施形態によれば、複合機１は、出力画像データに基づいて用紙（記録媒体）に画像形成を行う画像形成部１７と、画像形成部１７によって画像形成された用紙について、出力処理部６３による出力先となる第１排紙トレイ６、第２排紙トレイ３８及び複数の第３排紙トレイ４１（複数の出力トレイ）と、を更に備える。出力先情報設定部６１は、複数の出力トレイ６、３８、４１から出力先情報を設定するように構成される。これにより、第１排紙トレイ６、第２排紙トレイ３８及び複数の第３排紙トレイ４１等のように複数の出力トレイが存在する場合でも、自動的にクラス毎に所望の出力トレイに排紙することができる。従って、第１排紙トレイ６、第２排紙トレイ３８及び複数の第３排紙トレイ４１では、異なるクラスの用紙が混じることがないので、手作業による用紙の分類をする必要がなく、ユーザーの負担を軽減することができる。
【０１３４】
また、本実施形態によれば、第１排紙トレイ６、第２排紙トレイ３８及び複数の第３排紙トレイ４１（複数の出力トレイ）は、トレイ上の用紙の有無を検知する第１用紙センサー６４、第２用紙センサー６５及び第３用紙センサー６６（記録媒体センサー）を備える。そして、出力処理部６３が、出力先情報としての出力トレイ６、３８、４１に対して、入力画像データに基づく出力画像データを出力処理した後、記録媒体センサー６４、６５、６６の検知結果に基づいて、出力先情報としての出力トレイ６、３８、４１から用紙が取り除かれるまで、当該出力トレイ６、３８、４１の使用を禁止する。これにより、自動的にクラスを分類して用紙を第１排紙トレイ６、第２排紙トレイ３８又は第３排紙トレイ４１へと排紙した場合でも、ユーザーが作業を終えて用紙をトレイから取り除くまでは、分類された用紙が他の用紙と混じることがない。
【０１３５】
また、本実施形態によれば、複合機１は、複数の宛先に接続される通信部５３を更に備える。出力先情報設定部６１は、通信部５３によるデータ送信が可能な複数の宛先から出力先情報を設定するように構成される。これにより、複数の管理者端末４３、複数のユーザー端末４４、複数の第三者端末４５及び複数のファクシミリ４６等のように複数の宛先が存在する場合でも、自動的にクラス毎に所望の宛先に送信することができる。従って、宛先が予め定まっている特定のクラスの画像や原稿の送信処理において、改めて宛先設定する等のユーザーの負担を軽減することができる。
【０１３６】
また、本実施形態によれば、複合機１は、操作キーを有していて、操作キーによる設定入力を受け付ける操作表示ユニット１３（操作部）を更に備える。拡張情報設定部６０は、操作表示ユニット１３からの設定入力に応じて拡張情報を設定するように構成される。出力先情報設定部６１は、操作表示ユニット１３からの設定入力に応じて出力先情報を設定するように構成される。これにより、ユーザーは、操作表示ユニット１３を用いた簡易な手法でクラス毎の拡張情報や出力先情報を設定することができる。
【０１３７】
本実施形態では、画像出力管理アプリケーション６７が、操作表示ユニット１３からの設定入力に応じて、拡張情報設定部６０及び出力先情報設定部６１が拡張情報及び出力先情報をそれぞれ設定する構成を説明したが、画像出力管理アプリケーション６７による拡張情報及び出力先情報の設定はこの構成に限定されない。例えば、画像出力管理アプリケーション６７は、上記したように、クラス情報設定ＡＰＩを利用した設定入力を、管理者端末４３から通信部５３を介して受け付けて、拡張情報設定部６０及び出力先情報設定部６１が拡張情報及び出力先情報をそれぞれ設定するように構成されてもよい。
【０１３８】
即ち、複合機１は、管理者端末４３及びユーザー端末４４等の外部端末に接続されていて、外部端末からの設定入力を受け付ける通信部５３（受信部）を更に備える。拡張情報設定部６０は、通信部５３で受信した設定入力に応じて拡張情報を設定するように構成される。出力先情報設定部６１は、通信部５３で受信した設定入力に応じて出力先情報を設定するように構成される。これにより、管理者やユーザーは、管理者端末４３やユーザー端末４４を用いた遠隔操作によって、クラス毎の拡張情報や出力先情報を設定することができる。
【０１３９】
また、本実施形態では、分類情報設定部５８が、２つ以上のトレーニング画像を予め登録可能にし、画像分類部５６が、２つ以上のトレーニング画像に基づいて入力画像データのクラスを分類する構成を説明したが、この構成に限定されない。例えば、分類情報設定部５８が、クラスを識別可能なキーワード、マーク、人物画像、レイアウト等のようなトレーニング画像以外の分類情報を予め登録可能にし、画像分類部５６が、トレーニング画像以外の分類情報に基づいて入力画像データのクラスを分類するように構成されてもよい。
【０１４０】
本実施形態では、カラーの画像形成を行う複合機１に本発明の構成を適用する場合について説明したが、他の異なる実施形態では、複数の出力トレイや複数の宛先を出力先として有する画像出力管理装置であれば、モノクロ画像形成を行う他の複合機や、プリンター、複写機、ファクシミリ等の様々な画像出力管理装置に本発明の構成を適用してもよい。
【符号の説明】
【０１４１】
１  複合機（画像出力管理装置）
２  装置本体
３  中継ユニット
４  後処理ユニット
６  第１排紙トレイ
７  画像読取装置
１３  操作表示ユニット
１７  画像形成部
２６  搬送経路
３８  第２排紙トレイ
４０  メールボックス
４１  第３排紙トレイ
４３  管理者端末
４４  ユーザー端末
４５  第三者端末
４６  ファクシミリ
５０  制御装置
５１  制御部
５２  記憶部
５３  通信部
５４  外部メモリー接続部
５５  クラス情報設定部
５６  画像分類部
５７  画像処理部
５８  分類情報設定部
６０  拡張情報設定部
６１  出力先情報設定部
６２  拡張処理部
６３  出力処理部
６４  第１用紙センサー
６５  第２用紙センサー
６６  第３用紙センサー
６７  画像出力管理アプリケーション
６８  外部メモリー
【図１】
2017055352.tif 000003
【図２】
2017055352.tif 000004
【図３】
2017055352.tif 000005
【図４】
2017055352.tif 000006
【図５】
2017055352.tif 000007
【図６】
2017055352.tif 000008
【図７】
2017055352.tif 000009
【図８】
2017055352.tif 000010
【図９】
2017055352.tif 000011
【図１０】
2017055352.tif 000012
【図１１】
2017055352.tif 000013
【図１２】
2017055352.tif 000014
【図１３】
2017055352.tif 000015
【図１４】
2017055352.tif 000016
【図１５】
2017055352.tif 000017
【図１６】
2017055352.tif 000018
【図１７】
2017055352.tif 000019
【図１８】
2017055352.tif 000020
【図１９】
2017055352.tif 000021
【図２０】
2017055352.tif 000022
【図２１】
2017055352.tif 000023
【図２２】
2017055352.tif 000024
【図２３】
2017055352.tif 000025
【図２４】
2017055352.tif 000026
【図２５】
2017055352.tif 000027
【図２６】
2017055352.tif 000028
【図２７】
2017055352.tif 000029
【図２８】
2017055352.tif 000030
【図２９】
2017055352.tif 000031
【図３０】
2017055352.tif 000032
【図３１】
2017055352.tif 000033
【図３２】
2017055352.tif 000034
【図３３】
2017055352.tif 000035